(57)【要約】【課題】個別認証を確実に行うことができ、コンテンツデータを選択的に配信されることが可能な表示装置１を提供する。【解決手段】表示装置１は、自装置に固有の、コンピュータによって読み出し可能なディスプレイＩＤを格納している、読み出し専用のＩＤ格納部４を備えている。表示装置１から読み取ったディスプレイＩＤに基づき、コンテンツデータ配信装置１０のＩＤ判定部１６が、表示装置１にコンテンツデータを配信すべきであるか否かを判定する。表示装置１を認証した場合、コンテンツデータ配信装置１０の通信部１４が、表示装置１に、コンテンツデータを配信する。これにより、コンテンツデータ配信装置１０による表示装置１の個別認証、および表示装置１へのコンテンツデータの選択的配信が実現される。【選択図】図２
2010134947.tif 000002
【特許請求の範囲】
【請求項１】
自装置に固有の、コンピュータによって読み出し可能な表示装置識別データを格納している、読み出し専用の表示装置識別データ格納部を備えており、
上記表示装置識別データ格納部は表示パネル内に直接的に作り込まれていることを特徴とする表示装置。
【発明の詳細な説明】
【技術分野】
【０００１】
本発明は、個別認証を確実に行うことができる表示装置、このような表示装置を認証してコンテンツデータを選択的に配信するコンテンツデータ配信装置、およびこれらの表示装置およびコンテンツデータ配信装置を含んでいるコンテンツデータ配信システムに関する。
【背景技術】
【０００２】
現代社会では、様々な個人情報や映像情報が電子化され、インターネット等の広範囲な通信網によって、送受信可能となっている。したがって、このような情報の保守性を高め、個々人が使用している情報端末を特定することが、セキュリティ確保の面から重要になってくる。そこで、端末の使用者を確実に認証するシステムや、情報を選択的に配信したり受信したりするシステムや、個々人に適したコンテンツを特定の端末に配信するシステムが望まれている。
【０００３】
このようなシステムに使用可能と考えられる技術が、特許文献１に開示されている。特許文献１の開示の技術では、ディスプレイの表示を制御するパネルコントローラが、ディスプレイ側に搭載されたインターフェース回路から、ディスプレイのパラメータを読み取る。このパネルコントローラは、再コンフィギュレーション可能なフィールドプログラマブルゲートアレイ（ＦＰＧＡ）などで構成されている。パラメータは、ディスプレイの解像度や色数など、ディスプレイの特性を表す情報である。
【０００４】
特許文献１のパネルコントローラは、読み取ったパラメータに基づき、その動作特性を修正する。これにより、表示パネルに適した表示がなされるよう、パネルコントローラの動作が変化する。
【先行技術文献】
【特許文献】
【０００５】
【特許文献１】特開２００３−２４８４５１号公報（公開日：平成１５年（２００３年）９月５日）
【発明の概要】
【発明が解決しようとする課題】
【０００６】
しかし、特許文献１の装置では、インターフェース回路を通じて認識できるパラメータは、それぞれのディスプレイに固有ではなく、一般的なものである。したがって、解像度や色数等の、ディスプレイの特性が同一であれば、パラメータも同一となる。これにより、同一のパラメータを有するディスプレイが、複数、存在することになる。
【０００７】
すなわち、このようなパラメータに基づいても、個々のディスプレイを確実に特定することはできない。したがって、ディスプレイの利用者を特定したり、ディスプレイに情報を選択的に配信したりすることもできない。
【０００８】
なお、個々人が使用する端末を特定するために、ＩＰアドレスを用いる手法も考えられる。現在、ＩＰｖ４と呼ばれる、４バイトのＩＰアドレスが用いられている。しかし、インターネット利用者の爆発的な増加が原因となって、端末の使用者数に比べてＩＰアドレスが不足しているのが現状である。
【０００９】
これにより、インターネットにアクセスするたびに、利用者には、プロバイダから異なるＩＰアドレスが割り当てられてしまう。これにより、ＩＰアドレスを利用したとしても、個々人の使用する端末を確実に特定するには至らない。
【００１０】
本発明は上記の問題点に鑑みてなされたものであり、その目的は、個別認証を確実に行うことができる表示装置、このような表示装置を認証してコンテンツデータを選択的に配信するコンテンツデータ配信装置、およびこれらの表示装置およびコンテンツデータ配信装置を含んでいるコンテンツデータ配信システムを提供することにある。
【課題を解決するための手段】
【００１１】
本発明の表示装置は、上記の課題を解決するために、自装置に固有の、コンピュータによって読み出し可能な表示装置識別データを格納している、読み出し専用の表示装置識別データ格納部を備えていることを特徴としている。
【００１２】
ここでいう表示装置識別データとは、表示装置に割り当てられた、固有の、すなわち世界にただ一つの識別ＩＤである。すなわち、本発明において、同一の表示装置識別データを有する表示装置は世界に二台となく、一台のみとなる。
【００１３】
また、表示装置識別データは、コンピュータによって読み取り可能である。したがって、表示装置は、表示装置にアクセス可能なコンテンツデータ配信装置によって、表示装置識別データに基づくことにより、個別に認証を受けることができる。また、認証を受けたコンテンツデータ配信装置から、個別にコンテンツデータの配信を受けることができる。
【００１４】
このように、上述した構成を取ることによって、本発明は、個別の認証、およびコンテンツの選択的配信が確実に行われる表示装置を提供できる効果を奏する。
【００１５】
また、本発明の表示装置では、上記表示装置識別データ格納部を表示パネル内に備えていることが好ましい。
【００１６】
この構成を取ることにより、表示装置識別データ格納部は、表示パネル内の例えばガラス基板に、例えば半導体製造技術を用いて作り込まれている。これにより、表示装置識別データ格納部と表示パネルとが、一体化して表示装置に形成されていることになる。したがって、表示装置識別データ格納部が表示パネルから独立した構成に比べて、部品点数をより減少できる効果を奏する。また、チップ面積が縮小することにより、表示装置全体をより小型化できる。さらに、表示装置を製造する際のコストを削減できる効果も奏する。
【００１７】
本発明のコンテンツデータ配信装置は、上記の課題を解決するために、上述した表示装置に備えられている上記表示装置識別データ格納部から、上記表示装置識別データを読み出す表示装置識別データ読出手段と、上記表示装置識別データ読出手段が読み出した上記表示装置識別データに基づき、上記表示装置識別データを有する上記表示装置に対して、コンテンツデータを配信すべきであるか否かを判定するコンテンツデータ配信判定手段と、上記コンテンツデータを配信すべきであると上記コンテンツデータ配信判定手段によって判定された上記表示装置に、上記コンテンツデータを配信するコンテンツデータ配信手段とを備えていることを特徴としている。
【００１８】
この構成により、コンピュータ読み取り可能な、固有の表示装置識別データが割り当てられている表示装置から、コンテンツデータ配信装置の表示装置識別データ読出手段が、表示装置識別データを読み出す。この表示装置識別データに基づき、コンテンツデータ配信判定手段が、表示装置に対して、テキスト、画像、動画等のコンテンツを表すコンテンツデータを配信すべきであるか否かを判定する。
【００１９】
したがって、コンテンツデータ配信判定手段が、表示装置に対してコンテンツデータを配信すべきであると判断した場合、コンテンツデータ配信装置は、表示装置を認証することになる。そして、このとき、コンテンツデータ配信装置のコンテンツデータ配信手段が、表示装置にコンテンツデータを配信する。
【００２０】
このように、上述した構成をとることによって、本発明は、固有の表示装置識別データを有する表示装置を確実に認証し、コンテンツデータを選択的に配信できるコンテンツデータ配信装置を提供できる効果を奏する。そのため、このコンテンツデータ配信装置から、保守性、機密性の高いコンテンツデータの配信が行われる。
【００２１】
また、本発明のコンテンツデータ配信装置では、自装置に固有の、コンピュータによって読み出し可能な配信装置識別データを格納している読み出し専用の配信装置識別データ格納部と、上記配信装置識別データ格納部から上記配信装置識別データを読み出す配信装置識別データ読出手段とをさらに備えており、上記コンテンツデータ配信判定手段は、上記表示装置識別データ読出手段が読み出した上記表示装置識別データと、上記配信装置識別データ読出手段が読み出した上記配信装置識別データとに基づき、上記表示装置識別データを有する表示装置に対して上記コンテンツデータを配信すべきであるか否かを判定することが好ましい。
【００２２】
この構成を取ることにより、コンテンツデータ配信装置は、表示装置識別データおよび配信装置識別データに基づいた、表示装置の個別認証、およびコンテンツデータの選択的配信を行う。すなわち、コンテンツデータ配信装置は、表示装置に対して、１対１の個別認証に基づいたコンテンツデータの配信を行うことができる。これにより、この構成のコンテンツデータ配信装置は、保守性、機密性をさらに高めたコンテンツデータを表示装置に配信することができる効果を奏する。
【００２３】
また、本発明のコンテンツデータ配信装置では、上記表示装置の表示装置識別データと、上記表示装置の使用者に関する個人データとを関連づけて格納している個人データ格納部と、上記表示装置識別データ読出手段が読み出した表示装置識別データに基づき、上記個人データを読み出す個人データ読出手段とをさらに備えており、上記コンテンツデータ配信手段は、上記個人データ読出手段が読み出した上記個人データに基づき、上記利用者に適したコンテンツデータを選択して上記表示装置に配信することが好ましい。
【００２４】
この構成を取ることにより、コンテンツデータ配信装置から表示装置へ、表示装置の利用者の個人データに基づいた、コンテンツデータの選択的配信が行われる。これにより、利用者は自己の個人情報（年齢、性別、コンテンツの嗜好）に適したコンテンツの配信を受けることができる。すなわち、利用者が求めるコンテンツデータを利用者に対して効果的に配信するコンテンツデータ配信装置を提供できる効果を奏する。
【００２５】
また、本発明のコンテンツデータ配信装置では、上記表示装置の表示装置識別データと、上記コンテンツデータ配信手段が過去に上記表示装置に配信した配信済データとを関連づけて格納する配信済データ格納部と、上記表示装置識別データ読出手段が読み出した表示装置識別データに基づき、上記配信済データ格納部から上記配信済データを読み出す配信済データ読出手段とをさらに備えており、上記コンテンツデータ配信手段は、上記配信済データ読出手段が読み出した上記配信済データに基づき、上記利用者に適したコンテンツデータを選択して上記表示装置に配信することが好ましい。
【００２６】
この構成を取ることにより、コンテンツデータ配信装置から表示装置へ、過去に配信した配信済データに基づいた、利用者に適したコンテンツデータが配信される。これにより、利用者は、過去に閲覧したコンテンツに関連するコンテンツデータの配信を受けることができる。すなわち、本発明は、利用者が求めるコンテンツデータを利用者に対して効果的に配信するコンテンツデータ配信装置を提供できる効果を奏する。
【００２７】
また、本発明のコンテンツデータ配信システムは、上述した表示装置およびコンテンツデータ配信装置からなることを特徴としている。
【００２８】
この構成を取ることにより、コンテンツデータ配信装置が表示装置の個別認証を行い、表示装置に対してコンテンツデータを選択的に配信するコンテンツデータ配信システムを提供できる効果を奏する。
【発明の効果】
【００２９】
以上のように、本発明に係る表示装置では、固有の表示装置識別データを格納している表示装置識別データ格納部を備えているため、この表示装置識別データを利用して確実に認証され、コンテンツデータの選択的な配信を受けることができる効果を奏する。
【図面の簡単な説明】
【００３０】
【図１】本発明の一実施形態に係る表示装置１の構成を示すブロック図である。
【図２】表示装置１およびコンテンツデータ配信装置１０からなるコンテンツ配信システム５０の構成を示すブロック図である。
【図３】ＩＤ格納部４が表示制御部６と一体化されている表示装置１の構成を示すブロック図である。
【図４】ＩＤ格納部４が表示部２に形成されている表示装置１の構成を示すブロック図である。
【図５】複数のコンテンツデータ配信装置１０がＩＤ認証サーバ２０を用いてディスプレイＩＤの認証を行うコンテンツ配信システム５２の構成を示すブロック図である。
【図６】ディスプレイＩＤと個人データとを関連づけて格納している許可ＩＤデータベース３２を用いてコンテンツデータを選択的に配信するコンテンツ配信システム５４の構成を示すブロック図である。
【図７】ディスプレイＩＤと配信済データとを関連づけて格納している許可ＩＤデータベース３４を用いてコンテンツデータを選択的に配信するコンテンツ配信システム５６の構成を示すブロック図である。
【発明を実施するための形態】
【００３１】
本発明の一実施形態について、図１〜図７を参照して説明する。
【００３２】
図１は、本発明の一実施形態に係る表示装置１の構成を示すブロック図である。この図によると、表示装置１は、表示部２、ＩＤ格納部４（表示装置識別データ格納部）、表示制御部６、通信部８、および無線アンテナ９を備えている構成である。
【００３３】
表示部２は、ＴＦＴ（Ｔｈｉｎ  Ｆｉｌｍ  Ｔｒａｎｓｉｓｔｏｒ）素子等が形成されている、一般的な表示手段である。本実施形態では、この表示部２は液晶表示パネルである。
【００３４】
ＩＤ格納部４は、読み出し専用のデバイスであり、例えば、ＲＯＭ（Ｒｅａｄ  Ｏｎｌｙ  Ｍｅｍｏｒｙ）、ＦＰＧＡ（Ｆｉｅｌｄ  Ｐｒｏｇｒａｍｍａｂｌｅ  Ｇａｔｅ  Ａｒｒａｙ）、ＰＬＤ（Ｐｒｏｇｒａｍｍａｂｌｅ  Ｌｏｇｉｃ  Ｄｅｖｉｃｅ）等からなる。
【００３５】
ＩＤ格納部４は、表示装置１（自装置）に固有の、コンピュータによって読み出し可能なディスプレイＩＤ（表示装置識別データ）を格納している。ここでいう「固有の」とは、世界に一つだけという意味である。したがって、各表示装置１には、世界にただ一つだけの固有のディスプレイＩＤが割り当てられる。
【００３６】
表示制御部６は、表示部２におけるコンテンツ（テキスト、画像、動画等）の表示を制御する。すなわち、表示制御部６は、通信部８が受信したコンテンツデータを受け取り、このコンテンツデータが表すコンテンツを表示部２に表示させる。
【００３７】
通信部８は、無線によってデータを送受信する。具体的に説明すると、通信部８は、後述するコンテンツデータ配信装置１０から送信されるコンテンツデータを受信する。また、受け取ったコンテンツデータを、表示制御部６に出力する。さらに、コンテンツデータ配信装置１０からのリクエストに応じて、ＩＤ格納部４からディスプレイＩＤを読み出し、コンテンツデータ配信装置１０に送信する。
【００３８】
無線アンテナ９は、無線信号を送受信するためのアンテナである。
【００３９】
図１に示す表示装置１は、表示装置として最小限の構成要素を備えたものである。ここでいう最小限の構成とは、受信したコンテンツデータが表すコンテンツを表示するために必要充分な構成を意味する。すなわち、表示装置１は単にコンテンツデータを受け取って、データが表すコンテンツを表示するという、表示機能に特化した構成となっている。その意味では、表示装置１は、表示するコンテンツを、他の装置から提供される必要がある。
【００４０】
本実施形態では、この提供する役割を、図２に示すコンテンツデータ配信装置１０が果たしている。すなわち、表示装置１とコンテンツデータ配信装置１０とは、コンテンツデータを選択的に配信して表示するコンテンツ配信システム５０を構成する。
【００４１】
コンテンツ配信システム５０では、表示装置１とコンテンツデータ配信装置１０とは、クライアント・サーバ型システムを構成する。すなわち、表示装置１は、図示しない入力手段によって、利用者の操作を受け付ける。そして、利用者の指示をコンテンツデータ配信装置１０に伝え、コンテンツデータ配信装置１０がその指示に応じた処理を行い、結果を表示装置１に返すようになっている。これにより、表示装置１は、複雑な画像処理等を行う回路やプロセッサを有することなく、コンテンツを表示できる。
【００４２】
以下に、コンテンツ配信システム５０について、図２を参照して説明する。
【００４３】
図２は、表示装置１およびコンテンツデータ配信装置１０からなるコンテンツ配信システム５０の構成を示すブロック図である。この図によると、コンテンツ配信システム５０は、表示装置１およびコンテンツデータ配信装置１０を含んでいる構成である。ここで、コンテンツデータ配信装置１０は、図２に示すように、許可ＩＤデータベース１２、通信部１４（コンテンツデータ配信手段、表示装置識別データ読出手段）、ＩＤ判定部１６（コンテンツデータ配信判定手段、配信装置識別データ読出手段）、ＩＤ格納部１８（配信装置識別データ格納部）、および無線アンテナ１９を備えている構成である。
【００４４】
許可ＩＤデータベース１２は、コンテンツデータを配信する対象となる表示装置１に割り当てられたディスプレイＩＤを格納している、データベースである。この許可ＩＤデータベース１２を参照することによって、後述するＩＤ判定部１６は、表示装置１の認証を行う。
【００４５】
通信部１４は、無線によってデータを送受信する。具体的に説明すると、通信部１４は、表示装置１に、コンテンツデータを送信する。また、表示装置１に対して、表示装置１が有するディスプレイＩＤ（表示装置１のＩＤ格納部４に格納されているディスプレイＩＤ）の送信をリクエストする制御信号を送信する。さらに、表示装置１が送信してきたディスプレイＩＤを受信する。この一連の処理により、通信部１４は、表示装置１のＩＤ格納部４から、ディスプレイＩＤを読み出す。なお、通信部１４は、受信したディスプレイＩＤを、ＩＤ判定部１６に出力する。
【００４６】
ＩＤ判定部１６は、通信部１４が受信した、表示装置１のディスプレイＩＤが、許可ＩＤデータベース１２に格納されているか否かを判定する。このとき、ＩＤ判定部１６は、上述した許可ＩＤデータベース１２に基づき判定を下す。すなわち、ディスプレイＩＤが許可ＩＤデータベース１２に格納されている場合、ＩＤ判定部１６は、表示装置１へのコンテンツデータの送信を許可することを、通信部１４に通知する。一方、ディスプレイＩＤが許可ＩＤデータベース１２に格納されていないと判定した場合、表示装置１へのコンテンツデータの送信を許可しないことを、通信部１４に通知する。
【００４７】
ＩＤ格納部１８は、ＩＤ格納部４と同様に読み出し専用のデバイスである。このＩＤ格納部１８は、コンテンツデータ配信装置１０（配信装置側）に固有の、コンピュータによって読み出し可能な配信装置ＩＤ（配信装置識別データ）を格納している。ここでいう「固有の」とは、世界に一つだけという意味である。したがって、各コンテンツデータ配信装置１０には、それぞれ、世界にただ一つだけの固有の配信装置ＩＤが割り当てられる。
【００４８】
これらのディスプレイＩＤおよび配信装置ＩＤを用いることによって、コンテンツデータ配信装置１０と表示装置１との間において、一対一（ピアツーピア）のコンテンツデータ配信が保証される。
【００４９】
無線アンテナ１９は、無線アンテナ９と同様に、無線信号を送受信するためのアンテナである。
【００５０】
コンテンツ配信システム５０では、コンテンツデータ配信装置１０が、表示装置１を認証し、かつ、表示装置１へコンテンツデータを選択的に配信する。そこで以下に、この処理の流れを説明する。
【００５１】
まず、表示装置１を所持している利用者が、コンテンツデータ配信装置１０との間で通信可能な範囲内に入る。すると、コンテンツデータ配信装置１０の通信部１４が、無線アンテナ１９を介して、表示装置１に、ディスプレイＩＤの送信をリクエストする信号を送信する。このリクエスト信号は、表示装置１の通信部８が受信する。リクエスト信号の受信後、通信部８は、ＩＤ格納部４にアクセスして、ディスプレイＩＤを読み出す。そして通信部８は、無線アンテナ９を通じて、読み出したディスプレイＩＤをコンテンツデータ配信装置１０に送信する。
【００５２】
通信部８から送信されたディスプレイＩＤは、コンテンツデータ配信装置１０の通信部１４が受信する。受信したディスプレイＩＤを、通信部１４は、ＩＤ判定部１６に出力する。ＩＤ判定部１６は、ディスプレイＩＤを受け取ると、許可ＩＤデータベース１２にアクセスして、表示装置１から送信されたディスプレイＩＤが、許可ＩＤデータベース１２内に格納されているか否かを判定する。
【００５３】
ここで、ディスプレイＩＤが許可ＩＤデータベース１２内に格納されていると判定した場合、ＩＤ判定部１６は、通信部１４に、コンテンツデータ配信許可信号を出力する。この信号を受信すると、通信部１４は、表示装置１に対するコンテンツデータの配信を開始する。
【００５４】
表示装置１では、通信部８が、配信されたコンテンツデータを受信する。通信部８は、受信したコンテンツデータを、表示制御部６に出力する。表示制御部６は、受け取ったコンテンツデータに基づき、このコンテンツデータが表す、テキスト、画像、および映像等のコンテンツを、表示部２に表示させる。
【００５５】
以上の処理によって、コンテンツ配信システム５０では、コンテンツデータ配信装置１０の許可ＩＤデータベース１２に登録（格納）されているディスプレイＩＤを有する表示装置１は、このディスプレイＩＤに基づき、コンテンツデータ配信装置１０によって個別に認証される。そして、認証を受けた表示装置１に対して、コンテンツデータ配信装置１０から、コンテンツデータが選択的に配信される。これにより、コンテンツデータ配信装置１０によって認証される表示装置１には、コンテンツが表示される。
【００５６】
一方、表示装置１が、コンテンツデータ配信装置１０の許可ＩＤデータベース１２に登録（格納）されていないディスプレイＩＤを有する場合、コンテンツデータ配信装置１０によって認証されない。したがって、このような表示装置１には、コンテンツデータ配信装置１０からコンテンツデータが配信されることがない。これにより、コンテンツデータ配信装置１０によって認証されない表示装置１では、コンテンツの表示が行われない。
【００５７】
このように、コンテンツ配信システム５０では、コンテンツデータ配信装置１０によって認証された表示装置１にのみ、コンテンツデータが配信される。すなわち、コンテンツデータ配信装置１０からコンテンツデータを受け取る資格のない表示装置１には、コンテンツデータが配信されない。これにより、配信されるコンテンツデータの保守性を高めることができる。
【００５８】
なお、コンテンツデータ配信装置１０では、ＩＤ格納部１８に格納されている配信装置ＩＤを利用して、表示装置１とコンテンツデータ配信装置１０との間における１対１の認証を行ってもよい。この場合、コンテンツデータ配信装置１０のＩＤ判定部１６は、ＩＤ格納部１８から配信装置ＩＤを読み出す。そして、表示装置１から送られてきたディスプレイＩＤと、ＩＤ格納部１８から読み出した配信装置ＩＤとに基づき、コンテンツデータ配信装置１０が、表示装置１にコンテンツデータを配信することが妥当であるか否かを判定する。
【００５９】
その際、ＩＤ判定部１６は、図示しない他のＩＤ認証データベースにおいて、ディスプレイＩＤと配信装置ＩＤとが関連づけられていることに基づき、表示装置１にコンテンツデータを配信することが妥当であると判定して、通信部１４に、コンテンツデータ配信許可信号を出力すればよい。
【００６０】
この場合、固有の表示装置１と固有のコンテンツデータ配信装置１０との間で１対１の認証が行われる。したがって、配信装置ＩＤが割り当てられているコンテンツデータ配信装置１０は、保守性、機密性をさらに高めたコンテンツデータを、表示装置１に配信することができる。
【００６１】
コンテンツ配信システム５０を構成する表示装置１は、図１に示す構成に限定されず、ハードウェア構成によりいっそうの工夫を施したものとしてもよい。その第１の例について、図３を参照して説明する。
【００６２】
図３は、ＩＤ格納部４が表示制御部６と一体化されている表示装置１の構成を示すブロック図である。この図に示す表示装置１では、ＩＤ格納部４が、表示制御部６とが一体化された構成となっている。ここで、ＩＤ格納部４と一体化された表示制御部６は、上述したＦＰＧＡやＰＬＤ等の、読み出し専用、換言すれば書き込み不可能なデバイスとして表示装置１に形成されている。
【００６３】
この構成では、ＩＤ格納部４が表示装置１と一体化されている。したがって、ＩＤ格納部４が表示制御部６から独立した構成に比べて、部品点数が減少する。また、チップ面積が縮小するため、表示装置１全体をより小型化できる。さらに、表示装置１を製造する際のコストを削減できる。
【００６４】
なお、図３に示す構成の表示装置１をコンテンツ配信システム５０において用いても、上述したディスプレイＩＤを用いた利用者認証（表示装置１の個別認証）およびコンテンツデータの選択的配信を実現できることはいうまでもない。
【００６５】
表示装置１のハードウェア構成により一層の工夫を施した第２の例について、図４を参照して説明する。
【００６６】
図４は、ＩＤ格納部４が表示部２に形成されている表示装置１の構成を示すブロック図である。図４に示す表示装置１では、ＩＤ格納部４が、表示部２と一体化された形で形成されている。すなわち、ＩＤ格納部４は表示部２内に含有されている。ここで、ＩＤ格納部４は、表示部２の構成部品のいずれかに、何らかの形で形成されていればよい。例えば、ＩＤ格納部４は、表示部２のガラス基板上に、連続結晶粒シリコン（ＣＧシリコン、ＣＧＳ）を用いた半導体技術によって、直接的に作り込まれればよい。また、このような直接的な作り込みは、ＬＰＳ（Ｌｏｗ  Ｔｅｍｐｅｒａｔｕｒｅ  Ｐｏｌｙ  Ｓｉｌｉｃｏｎ  ＴＦＴ、低温ポリシリコンＴＦＴ）を用いても実現できる。
【００６７】
いずれにせよ、このような構成では、表示部２内にＩＤ格納部４が直接的に作り込まれている。したがって、ＩＤ格納部４が表示部２から独立している構成や、ＩＤ格納部４が表示制御部６と一体化されている構成に比べて、さらに部品点数を削減することができる。また、チップ面積もさらに縮小できる。さらに、表示装置１全体をよりいっそう小型化することができ、表示装置１を製造する際のコスト削減の効果もよりいっそう大きくなる。
【００６８】
なお、図４に示す構成の表示装置１をコンテンツ配信システム５０において用いても、上述したディスプレイＩＤを用いた利用者認証（表示装置１の個別認証）およびコンテンツデータの選択的配信を実現できることはいうまでもない。
【００６９】
表示装置１およびコンテンツデータ配信装置１０を含むコンテンツデータ配信システムは、図２に示す１対１の構成のコンテンツ配信システム５０に限らない。例えば、コンテンツデータ配信システムを、１対多、あるいは多対多の構成としてもよい。そこで、１台の表示装置１に対して、複数台のコンテンツデータ配信装置１０がコンテンツデータを配信する構成のコンテンツ配信システム５２について、図５を参照して説明する。
【００７０】
図５は、複数のコンテンツデータ配信装置１０がＩＤ認証サーバ２０を用いてディスプレイＩＤの認証を行うコンテンツ配信システム５２の構成を示すブロック図である。この図によると、コンテンツ配信システム５２は、１台の表示装置１と、３台のコンテンツデータ配信装置１０と、１台のＩＤ認証サーバ２０とを含む構成である。表示装置１は、上述した図１、図３、または図４に示すいずれかの構成を取っている。コンテンツデータ配信装置１０は、図２に示す構成とは異なり、ディスプレイＩＤの認証を行うために必要なＩＤ判定部１６および許可ＩＤデータベース１２を備えていない構成となっている。すなわち、ディスプレイＩＤの認証は、各コンテンツデータ配信装置１０において行われないようになっている。
【００７１】
コンテンツ配信システム５２では、コンテンツデータ配信装置１０の代わりに、ＩＤ認証サーバ２０がディスプレイＩＤの認証を行う。このＩＤ認証サーバ２０は、図５に示すように、許可ＩＤデータベース２２、通信部２４、ＩＤ判定部２６、および無線アンテナ２９を備えている構成となっている。
【００７２】
許可ＩＤデータベース２２、ＩＤ判定部２６、および無線アンテナ２９は、それぞれ上述した許可ＩＤデータベース１２、ＩＤ判定部１６、および無線アンテナ１９と同様に機能するものであり、その説明を省略する。通信部２４は、コンテンツデータ配信装置１０から送られてきた表示装置１のディスプレイＩＤを受信する。また、コンテンツデータ配信許可信号を、コンテンツデータ配信装置１０に送信する。
【００７３】
コンテンツ配信システム５２における表示装置１の認証処理の流れについて、以下に説明する。
【００７４】
コンテンツデータ配信装置１０が、表示装置１に対してディスプレイＩＤを要求するリクエスト信号を送信し、表示装置１から送信されてきたディスプレイＩＤを受信する所までは、図２に示すコンテンツ配信システム５０と、処理の流れが同一である。
【００７５】
このあと、コンテンツデータ配信装置１０の通信部１４は、受信したディスプレイＩＤを、ＩＤ認証サーバ２０に送信する。ＩＤ認証サーバ２０では、通信部１４から送信されてきたディスプレイＩＤを、通信部２４が受信する。ディスプレイＩＤを受信すると、通信部２４は、これをＩＤ判定部２６に出力する。ＩＤ判定部２６は、ディスプレイＩＤの入力を受け付けると、許可ＩＤデータベース２２にアクセスして、通信部１４から送信されたディスプレイＩＤ、すなわち表示装置１から送信されたディスプレイＩＤが、許可ＩＤデータベース２２内に格納されているか否かを判定する。
【００７６】
ここで、ディスプレイＩＤが許可ＩＤデータベース２２内に格納されていると判定した場合、ＩＤ判定部２６は、通信部２４に、コンテンツデータ配信許可信号を出力する。受け取ったコンテンツデータ配信許可信号を、通信部２４は、コンテンツデータ配信装置１０に送信する。
【００７７】
コンテンツデータ配信装置１０では、通信部１４が、コンテンツデータ配信許可信号を受信する。すると、通信部１４は表示装置１に対するコンテンツデータの配信を開始する。このあと、上述した図２に示すコンテンツ配信システム５０と同様に、表示装置１の表示部２において配信されたコンテンツが表示される。
【００７８】
以上の処理によって、コンテンツ配信システム５２では、ＩＤ認証サーバ２０の許可ＩＤデータベース２２に登録（格納）されているディスプレイＩＤを有する表示装置１は、このディスプレイＩＤに基づき、ＩＤ認証サーバ２０によって個別に認証される。そして、認証を受けた表示装置１に対して、コンテンツデータ配信装置１０から、コンテンツデータが選択的に配信される。これにより、ＩＤ認証サーバ２０によって認証される表示装置１には、コンテンツが表示される。
【００７９】
一方、表示装置１が、ＩＤ認証サーバ２０の許可ＩＤデータベース２２に登録（格納）されていないディスプレイＩＤを有する場合、ＩＤ認証サーバ２０によって認証されない。したがって、このような表示装置１には、コンテンツデータ配信装置１０からコンテンツデータが配信されることがない。これにより、ＩＤ認証サーバ２０によって認証されない表示装置１では、コンテンツの表示が行われない。
【００８０】
このように、コンテンツ配信システム５２では、ＩＤ認証サーバ２０によって認証された表示装置１にのみ、コンテンツデータが配信される。すなわち、コンテンツデータ配信装置１０からコンテンツデータを受け取る資格のない表示装置１には、コンテンツデータが配信されない。これにより、配信される情報の保守性を高めることができる。
【００８１】
また、このコンテンツ配信システム５２では、３台ある各コンテンツデータ配信装置１０は、独自の許可ＩＤデータベース１２を備えなくてもよい。これにより、各コンテンツデータ配信装置１０を、より部品点数の少ないハードウェア構成とすることができる。したがって、多数のコンテンツデータ配信装置１０を用意した場合に、コストダウンの効果をより大きくできる。さらに、許可ディスプレイＩＤをＩＤ認証サーバ２０において一括して管理でき、許可すべきディスプレイＩＤのリストをより素早く確実に更新できる。
【００８２】
本発明のシステムは、許可したディスプレイＩＤを有する表示装置１を所持する利用者の個人データに基づき、表示装置１を所持する利用者の趣味や嗜好に合わせた、最適なコンテンツデータを配信する構成としてもよい。そこで、このような構成のコンテンツ配信システム５４について、図６を参照して説明する。
【００８３】
図６は、ディスプレイＩＤと個人データとを関連づけて格納している許可ＩＤデータベース３２を用いてコンテンツデータを選択的に配信するコンテンツ配信システム５４の構成を示すブロック図である。この図に示すコンテンツ配信システム５４を構成するコンテンツデータ配信装置１０は、許可ＩＤデータベース１２の代わりに、コンテンツデータベース３０、および許可ＩＤデータベース３２を備えている。
【００８４】
コンテンツデータベース３０は、表示装置１に配信するコンテンツデータが格納されているデータベースである。
【００８５】
許可ＩＤデータベース３２は、コンテンツデータの配信を許可する表示装置１のディスプレイＩＤと、このディスプレイＩＤを有する表示装置１の利用者の個人情報とを関連づけて格納するデータベースである。許可ＩＤデータベース３２には、図６に示すように、ｎ個のディスプレイＩＤ１〜ディスプレイＩＤｎと、これらのディスプレイＩＤにそれぞれ関連づけられている、ｎ個の個人データｄ１〜ｄｎが格納されている。
【００８６】
ここでいう「個人情報」とは、利用者の性別、職業、年齢、コンテンツの好みなど、個々の利用者に固有の情報である。これらの情報は、表示装置１に対してコンテンツデータの配信を希望する利用者が、利用者登録等によって事前にコンテンツデータ配信装置１０において登録する。
【００８７】
このような構成のコンテンツ配信システム５４では、利用者に個人情報に基づいた、利用者に適したコンテンツを表すコンテンツデータが、表示装置１に配信される。そこで、コンテンツ配信システム５４における、個人データに基づいたコンテンツデータの選択的配信について、以下に説明する。
【００８８】
コンテンツデータ配信装置１０が、表示装置１に対してディスプレイＩＤを要求するリクエスト信号を送信し、表示装置１から送信されてきたディスプレイＩＤを受信するプロセスまでは、図２に示すコンテンツ配信システム５０と、処理の流れが同一である。
【００８９】
このあと、コンテンツデータ配信装置１０の通信部１４は、受信したディスプレイＩＤを、ＩＤ判定部１６に出力する。ＩＤ判定部１６は、受け取ったディスプレイＩＤが、許可ＩＤデータベース３２に登録（格納）されているか否かを判定する。ディスプレイＩＤが許可ＩＤデータベース３２に格納されていると判定した場合、ＩＤ判定部１６は、コンテンツデータ配信許可信号を通信部１４に出力すると共に、許可ＩＤデータベース３２にアクセスして、許可したディスプレイＩＤに関連づけられている個人情報を読み出し、通信部１４に出力する。
【００９０】
通信部１４は、受け取った個人データに基づき、コンテンツデータベース３０から、ディスプレイＩＤを有する表示装置１に配信すべきコンテンツデータを選択して読み出す。例えば、許可したディスプレイＩＤの表示装置１を所持する利用者が、映画好きであるとの情報を、このディスプレイＩＤに関連づけられている個人データから判別した場合、コンテンツデータベース３０から映画コンテンツに関するコンテンツデータを読み出し、表示装置１に送信する。
【００９１】
これにより、映画好きの利用者の表示装置１には、特に利用者が指定しなくても、映画コンテンツが配信され、表示される。
【００９２】
このように、コンテンツ配信システム５４では、利用者の好みに応じたコンテンツデータを、表示装置１へと選択的に配信できる。
【００９３】
また、コンテンツ配信システム５４では、利用者は表示装置１を持ち歩き、各所に設置されているコンテンツデータ配信装置１０から、コンテンツデータの配信を受けることになる。すなわち、コンテンツ配信システム５０では、利用者と表示装置１とが一対一の関係を保つ一方で、利用者とコンテンツデータ配信装置１０とは、必ずしも一対一の関係を保つわけではない。そこで、コンテンツ配信システム５４では、表示装置１のディスプレイＩＤと、利用者の個人データとを関連づけておく。これにより、個人データに基づき、表示装置１に配信するコンテンツデータを決定すれば、利用者に適したコンテンツデータを送信できることになる。
【００９４】
また、本発明のシステムは、利用者に対して過去に配信したコンテンツデータに基づき、この配信済データに関連する新たなコンテンツデータを選択して配信する構成としてもよい。そこで、このような構成のコンテンツ配信システム５６について、図７を参照して説明する。
【００９５】
図７は、ディスプレイＩＤと配信済データとを関連づけて格納している許可ＩＤデータベース３４を用いてコンテンツデータを選択的に配信するコンテンツ配信システム５６の構成を示すブロック図である。この図に示すコンテンツ配信システム５６を構成するコンテンツデータ配信装置１０は、許可ＩＤデータベース１２の代わりに、許可ＩＤデータベース３４を備えている。さらに、コンテンツデータベース３０を備えている点では、図６に示すコンテンツ配信システム５４と同様である。
【００９６】
許可ＩＤデータベース３４は、コンテンツデータの配信を許可するディスプレイＩＤと、登録されているディスプレイＩＤを有する表示装置１に対して過去に配信した配信済データ（アニメーション、映画、スポーツ番組等）とを関連づけて格納しているデータベースである。すなわち、許可ＩＤデータベース３４は、図７に示すように、ｎ個の許可ディスプレイＩＤ１〜ディスプレイＩＤｎと、これらのディスプレイＩＤにそれぞれ関連づけられているｎ個の配信済データｅ１〜ｅｎとを格納している。これらの配信済データは、通信部１４が、表示装置１に配信すると同時に、ディスプレイＩＤと関連づけて許可ＩＤデータベース３４に格納する。
【００９７】
このような構成のコンテンツ配信システム５６では、利用者に過去に配信したコンテンツに関連する、利用者が求める可能性が高いコンテンツを表すコンテンツデータが、表示装置１に配信される。そこで、コンテンツ配信システム５６における、配信済データに基づいたコンテンツデータの選択的配信について、以下に説明する。
【００９８】
コンテンツデータ配信装置１０が、表示装置１に対してディスプレイＩＤを要求するリクエスト信号を送信し、表示装置１から送信されてきたディスプレイＩＤを受信するところまでは、図２に示すコンテンツ配信システム５０と、処理の流れが同一である。
【００９９】
このあと、コンテンツデータ配信装置１０の通信部１４は、受信したディスプレイＩＤを、ＩＤ判定部１６に出力する。ＩＤ判定部１６は、受け取ったディスプレイＩＤが、許可ＩＤデータベース３４に登録（格納）されているか否かを判定する。ディスプレイＩＤが許可ＩＤデータベース３４に格納されていると判定した場合、ＩＤ判定部１６は、コンテンツデータ配信許可信号を通信部１４に出力すると共に、許可ＩＤデータベース３４にアクセスして、許可したディスプレイＩＤに関連づけられている配信済データを読み出し、通信部１４に出力する。この時点で、表示装置１から送信されたディスプレイＩＤは認証される。
【０１００】
通信部１４は、受け取った配信済データに基づき、コンテンツデータベース３０から、認証されたディスプレイＩＤを有する表示装置１に配信すべきコンテンツデータを選択して読み出す。例えば、認証されたディスプレイＩＤを有している表示装置１を所持する利用者に対して、過去に、映画コンテンツを頻繁に配信していたことを、認証ディスプレイＩＤに関連づけられている配信済データから判別した場合、コンテンツデータベース３０から新作映画のパンフレットに関するコンテンツデータを読み出し、表示装置１に送信する。
【０１０１】
この場合、過去に頻繁に映画を見ていた利用者に対して、新作映画のパンフレットに関するコンテンツデータを配信できる。すなわち、特に利用者が指定しなくても、利用者が過去に閲覧したコンテンツデータに関する情報が配信され、表示装置１に表示される。したがって、コンテンツデータ配信装置１０を利用するコンテンツ配信業者は、利用者の好みに応じたコンテンツデータを、選択的に配信できる。
【０１０２】
また、利用者が興味を持つ可能性が高いコンテンツが配信されるため、配信したコンテンツを利用者が閲覧する可能性が高い。例えば、配信するコンテンツデータが広告情報である場合、利用者のニーズにマッチした広告を配信することになるため、高いレスポンス率を期待できる。
【０１０３】
また、コンテンツ配信システム５６では、コンテンツ配信システム５４と異なり、利用者の個人データを利用しない。したがって、個人データの漏洩の危険性が生じない。
【０１０４】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【０１０５】
例えば、表示部２は、液晶表示装置に限らず、プラズマディスプレイや有機ＥＬディスプレイなど、様々な表示装置とすることができる。
【０１０６】
また、ＩＤ格納部４には、外部と通信するためのインターフェースが備えられていてもよい。この場合、コンテンツデータ配信装置１０は、通信部８を介さず、ＩＤ格納部４のインターフェースを通じて、直接、ディスプレイＩＤを読み出せばよい。
【０１０７】
また、コンテンツ配信システム５０では、まず表示装置１にコンテンツデータを送信しておき、その後、ディスプレイＩＤに基づく表示装置１の認証が完了してから、コンテンツデータが表すコンテンツを表示部２に表示させてもよい。他のシステムでも同様である。
【０１０８】
また、本発明では、表示装置１が、コンテンツデータ配信装置１０からの認証を待つのではなく、己の認証を求める信号を、積極的にコンテンツデータ配信装置１０に対して発する構成であってもよい。また、表示装置１は、コンテンツデータ配信装置１０からのディスプレイＩＤ要求信号を受けていない状態では、電源をオフにし、ディスプレイＩＤ要求信号を受けてから、自動的に電源をオンにする構成であってもよい。
【０１０９】
また、コンテンツデータ配信装置１０と表示装置１との間の通信は、任意の無線または有線によるものであればよい。例えば、ＩＥＥＥ１３９４、ＵＳＢ、電力線搬送、ケーブルＴＶ回線、電話線、ＡＤＳＬ回線等の有線手段、ＩｒＤＡやリモコンのような赤外線、Ｂｌｕｅｔｏｏｔｈ、８０２．１１無線、ＨＤＲ、携帯電話網、衛星回線、地上波デジタル網等の無線手段によって、コンテンツデータ配信装置１０と表示装置１との間における通信を行えばよい。
【産業上の利用可能性】
【０１１０】
本発明は、液晶表示装置、プラズマディスプレイ、または有機ＥＬディスプレイなどの様々な表示装置として利用可能である。また、これらの表示装置を認証し、選択的にコンテンツデータを配信するコンテンツ配信装置としても利用可能である。さらに、これらの表示装置およびコンテンツ配信装置からなるコンテンツ配信システムとしても利用可能である。
【符号の説明】
【０１１１】
１      表示装置
２      表示部（表示パネル）
４      ＩＤ格納部（表示装置識別データ格納部）
６      表示制御部
８      通信部（コンテンツデータ配信手段）
９      無線アンテナ
１０    コンテンツデータ配信装置
１２    許可ＩＤデータベース
１４    通信部（コンテンツデータ配信手段、表示装置識別データ読出手段）
１６    ＩＤ判定部（コンテンツデータ配信判定手段、配信装置識別データ読出手段）
１８    ＩＤ格納部（配信装置識別データ格納部）
１９    無線アンテナ
２０    ＩＤ認証サーバ
２２    許可ＩＤデータベース
２４    通信部
２６    ＩＤ判定部（コンテンツデータ配信判定手段）
２９    無線アンテナ
３０    コンテンツデータベース
３２    許可ＩＤデータベース（個人データ格納部）
３４    許可ＩＤデータベース（配信済データ格納部）
５０    コンテンツデータ配信システム
５２    コンテンツデータ配信システム
５４    コンテンツデータ配信システム
５６    コンテンツデータ配信システム
【図１】
2010134947.tif 000003
【図２】
2010134947.tif 000004
【図３】
2010134947.tif 000005
【図４】
2010134947.tif 000006
【図５】
2010134947.tif 000007
【図６】
2010134947.tif 000008
【図７】
2010134947.tif 000009